(57)【特許請求の範囲】
【請求項１】
筐体と、
前記筐体内の上側に出し入れ自在に収容された上側処理ユニットと、
前記筐体内の下側に出し入れ自在に収容された下側処理ユニットと、
前記下側処理ユニットに設置されかつ前記上側処理ユニットで処理された紙葉類を搬入する搬入口を上部に有する搬入容器と、
前記上側処理ユニットを前記筐体内から引き出す動作に連動して、前記筐体内に収容された前記下側処理ユニット上の前記搬入容器の前記搬入口を覆う搬入口遮蔽機構と、を具備し、
前記搬入口遮蔽機構は、前記上側処理ユニットの前記出し入れの動作に連動して、前記搬入口上で広がる態様と折り畳まれた態様とに変形可能な蓋部材を備え、
さらに、前記搬入口遮蔽機構は、前記下側処理ユニットを前記筐体内から引き出す動作では、前記搬入容器の前記搬入口を開口させた状態とする一方で、前記上側処理ユニットを前記筐体内から引き出す動作では、前記筐体と前記上側処理ユニットとの間に生じる隙間から上方に露出し得る前記搬入容器の前記搬入口を、前記蓋部材を介して覆う、
ことを特徴とする紙葉類処理装置。
【請求項２】
前記搬入口遮蔽機構は、
前記上側処理ユニットの前記出し入れの方向における前記蓋部材の一端部を当該上側処理ユニットに固定する固定機構と、
前記上側処理ユニットの前記出し入れの方向における前記蓋部材の他端部に設けられた係合部と、
前記下側処理ユニットに設けられ、前記筐体内から前記上側処理ユニットを引き出す動作の過程で前記蓋部材上の前記係合部と係合する被係合部と、
をさらに備えることを特徴とする請求項１記載の紙葉類処理装置。
【請求項３】
前記蓋部材は、互いに所定の辺部どうしを回動可能に連結した一対の矩形板状の部材で構成されていることを特徴とする請求項１又は２記載の紙葉類処理装置。
【請求項４】
前記蓋部材は、巻回可能な可とう性を有する帯状の部材で構成されていることを特徴とする請求項１又は２記載の紙葉類処理装置。
【発明の詳細な説明】
【技術分野】
【０００１】
本発明は、例えば有価証券などの紙葉類を処理する紙葉類処理装置に関する。
【背景技術】
【０００２】
商品券などの有価証券や紙幣などを処理する紙葉類処理装置では、紙葉類の一時庫（一時集積庫）のシャッタを開閉するシャッタモータ、プッシャと称する押込部材を動作させるプッシャモータ、カセットのロック機構を作動させるソレノイドなどを備え、前記カセット内への紙葉類の収納動作を実現している（例えば、特許文献１参照）。
【０００３】
この種の装置の場合、一時庫やカセットに収納される紙葉類が、紙幣や商品券などの有価証券類である場合のセキュリティ確保のために、一時庫及びカセットを外装カバーで覆えるよう筐体内部に配置する構成が多く採用されている。
【０００４】
より具体的には、一時庫は、例えば装置内の上段側のユニットに設けられ、一方、カセットは、下段側のユニットに設置され、それぞれのユニットは、例えば筐体内から引き出し可能に構成される。また、一時庫に設けられたプッシャは、収納動作の際にカセット側へと入り込み、カセット内への紙葉類の収納を支援する。ここで、カセットは、一時庫側からの紙葉類の収納のために、その上部が常に開口した構造を有する。
【特許文献１】特開２００２−９２６８６号公報
【発明の開示】
【発明が解決しようとする課題】
【０００５】
このため、上記構成を採用する紙葉類処理装置では、ジャム処理などの対応のために上段側のユニットを筐体内から引き出した場合、上段側のユニットと筐体との隙間から、下段側のユニットにおける上部の開口したカセットへの（不正な）アクセスが可能となる。ここで、カセット内の有価証券類は、上段側のユニットで既に処理された例えば計数確定済みの有価証券類であるが、正式な操作手順を踏まない操作、すなわち、下段ユニットの引き出し操作を伴わない有価証券類の不正な抜き取りなどが行われると、計数された情報と現況とに不一致が生じることとなる。
【０００６】
そこで本発明は、上記課題を解決するためになされたもので、処理済みの紙葉類に対する不正な行為を抑制することが可能な紙葉類処理装置の提供を目的とする。
【課題を解決するための手段】
【０００７】
上記目的を達成するために、本発明に係る紙葉類処理装置は、筐体と、前記筐体内の上側に出し入れ自在に収容された上側処理ユニットと、前記筐体内の下側に出し入れ自在に収容された下側処理ユニットと、前記下側処理ユニットに設置されかつ前記上側処理ユニットで処理された紙葉類を搬入する搬入口を上部に有する搬入容器と、前記上側処理ユニットを前記筐体内から引き出す動作に連動して、前記筐体内に収容された前記下側処理ユニット上の前記搬入容器の前記搬入口を覆う搬入口遮蔽機構と、を具備し、前記搬入口遮蔽機構は、前記上側処理ユニットの前記出し入れの動作に連動して、前記搬入口上で広がる態様と折り畳まれた態様とに変形可能な蓋部材を備え、さらに、前記搬入口遮蔽機構は、前記下側処理ユニットを前記筐体内から引き出す動作では、前記搬入容器の前記搬入口を開口させた状態とする一方で、前記上側処理ユニットを前記筐体内から引き出す動作では、前記筐体と前記上側処理ユニットとの間に生じる隙間から上方に露出し得る前記搬入容器の前記搬入口を、前記蓋部材を介して覆う、ことを特徴とする。
【０００８】
本発明では、上側処理ユニットを筐体内から引き出す動作に連動して、紙葉類の搬入容器の搬入口が覆い隠されるので、例えば上側処理ユニットと筐体との隙間などから、搬入容器内の紙葉類を視認することなどを防止でき、これにより不正な行為の誘発が抑制され、さらには、搬入容器内から処理済みの紙葉類を抜き取るなどの不正な行為を実質的に阻止することが可能となる。
【発明の効果】
【０００９】
このように、本発明によれば、処理済みの紙葉類に対する不正な行為を抑制することが可能な紙葉類処理装置を提供することができる。
【発明を実施するための最良の形態】
【００１０】
以下、本発明を実施するための最良の形態を図面に基づき説明する。
図１は、本発明の実施形態に係る紙葉類処理装置１の外観を示す斜視図であり、図２は、この紙葉類処理装置１の内部構造を示す図である。また、図３は、図２の紙葉類処理装置１から下側処理ユニット３を引き出した状態を示す図であり、図４は、図２の紙葉類処理装置１から上側処理ユニット２を引き出した状態（後述する搬入口遮蔽機構１２は不図示）を示す図である。
【００１１】
図１及び図２に示すように、本実施形態の紙葉類処理装置１は、例えば商品券といった有価証券などが例示される紙葉類３１を装置内部で搬送しつつ、この紙葉類３１の紙面に記された文字や記号などをイメージとして光学的に読み取る紙葉類搬送式の光学的文字読取装置である。
【００１２】
図１〜図４に示すように、この紙葉類処理装置１は、本体移動用のキャスタ４０を介して床面４１上に設置されており、装置の外郭を形成する筐体５０と、上側処理ユニット２と、下側処理ユニット３とで主に構成される。下側処理ユニット３は、図２、図３に示すように、筐体５０内の下側に出し入れ自在に収容されている。この下側処理ユニット３は、図１、図３に示すように、取っ手部１９を介した手動操作により、スライドレール３９を通じて筐体５０に対し矢印Ｘ１−Ｘ２方向に出し入れされる。
【００１３】
ここで、図１に示すように、紙葉類処理装置１の前面には、セキュリティ確保のための鍵部５２が設けられており、この鍵部５２を解錠して始めて下側処理ユニット３を筐体５０内から引き出すことが可能となる。
【００１４】
一方、上側処理ユニット２は、図２、図４に示すように、筐体５０内の上側に出し入れ自在に収容されている。この上側処理ユニット２は、図１、図２、図４に示すように、取っ手部１８を介した手動操作により、上記スライドレール３９と同様のスライドレール（図示せず）を通じて筐体５０に対し矢印Ｘ１−Ｘ２方向に出し入れされる。
【００１５】
ここで、図１に示すように、紙葉類処理装置１の前面には、ソレノイドなどの磁気回路を利用した電磁ロック５１が設けられており、この電磁ロック５１を解錠して始めて上側処理ユニット２を筐体５０内から引き出すことが可能となる。例えば、上側処理ユニット２内でのジャム（紙詰り）などの発生時に、電磁ロック５１を解錠して、上側処理ユニット２を筐体５０内から引き出すことができる。
【００１６】
次に、上側処理ユニット２の内部構造について説明する。すなわち、上側処理ユニット２は、図１〜図４に示すように、ホッパ４、給紙機構（紙葉類取込機構）３６、搬送ローラ３３、搬送路５、読取部６、オープンポケット８、一時庫（紙葉類３１の一時集積庫）７、プッシャ９、シャッタ１０、フラッパ３４、センサ３５などを備える。
【００１７】
図２に示すように、ホッパ４には、装置内部に取り込まれる複数の紙葉類３１が積載される。給紙機構（紙葉類取込機構）３６は、ピックアップローラ、フィードローラ、セパレートローラなどを備え、紙葉類３１を一枚ずつに分離しつつホッパ４の最下部の紙葉類３１を順次装置内部に取り込む（給紙する）。搬送路５は、所定の間隔を空けて対向配置されたプレート状の搬送ガイド（図示せず）によって、装置内部を搬送される紙葉類３１の搬送経路を構成する。
【００１８】
搬送ローラ３３は、ドライブローラ（駆動ローラ）及びピンチローラ（従動ローラ）で構成される。それぞれ複数個ずつ設けられたドライブローラ及びピンチローラは、搬送路５上において互いに対向するように配置され、紙葉類３１を、両面から挟持しつつ下流側へと搬送する。ドライブローラには、所定の搬送モータからの駆動力が伝達される。ここで、上側処理ユニット２内でのジャム（紙詰り）などの発生時に、電磁ロック５１を解錠して上側処理ユニット２を筐体５０内から引き出した場合には、図４に示すように、ジャムなどの原因となった紙葉類３１を除去し易くなるよう、スライド機構３７により、搬送路５上から一方の側の搬送ローラ３３が、一時的（上側処理ユニット２を引き出した状態のときだけ）にスライドする（一時的に分解される）。
【００１９】
読取部（イメージ読取部）６は、図２に示すように、ＣＣＤラインイメージセンサ、ランプ、各種の光学系などから構成されており、搬送路５上を搬送される紙葉類３１の紙面上の画像（イメージ）を読み取る。また、搬送路５上には、印字ヘッドが設けられており、例えば、読取部６による読み取り処理を終えた紙葉類３１に対し例えば処理済みを示す情報などを印字する。また、上述した読取部６では、用紙種別、額面などの情報読取りが行われ、読み取られた情報の内容に応じて、一時庫７又は二つのオープンポケット８にフラッパ３４を通じて適宜振り分けられて集積される。
【００２０】
センサ３５は、一時庫７及び各オープンポケット８の前段に設けられており、一時庫７及び各オープンポケット８に集積される紙葉類３１の通過を検知し紙葉類３１の計数などを行う。オープンポケット８は、例えばリジェクトスタッカやアクセプトスタッカなどで構成される。リジェクトスタッカには、読取部６による例えばイメージの読み取り処理が正常に行われなかった紙葉類３１が集積される。一方、アクセプトスタッカには、イメージの読み取り処理が正常に行われた紙葉類３１が集積される。
【００２１】
一方、下側処理ユニット３には、図２に示すように、上側処理ユニット２で処理された紙葉類３１を搬入する搬入口１１ａを上部に有する搬入容器としてのカセット１１が設置されている。搬入口１１ａの縁部には、プッシャ９に押されて回動する紙葉類押さえ爪３２などが設けられている。
【００２２】
詳述すると、一時庫７に集積された紙葉類３１に対して、カセット１１への収納指示がコントローラ（図示せず）から出力されると、シャッタ駆動モータが動作し、一時庫７の底部に設けられたシャッタ１０が開く。シャッタ１０の開動作が完了すると、一時庫７に集積されていた紙葉類３１は、カセット１１へと自重により落下する。
【００２３】
さらに、一時庫７の上部に設けられたプッシャ９がプッシャモータにより下降動作を開始し、カセット１１へ自重により落下した用紙をさらにカセット１１の内部へと確実に押し込む。プッシャ９は、下降動作を完了すると、上昇動作を行う。プッシャ９の上昇動作が完了すると、シャッタ１０は閉動作を行う。シャッタ１０の閉動作の完了にて、紙葉類３１の収納動作は完了となる。このようにして収納処理の行われるカセット１１内には、上側処理ユニット２にて計数された例えば計数確定済みの紙葉類３１が収納される。
【００２４】
次に、本実施形態の紙葉類処理装置１に設けられた目隠し機構として機能する搬入口遮蔽機構１２について、主に、上記図４に加え、図５〜図１５に基づき詳述する。ここで、図５は、図２の紙葉類処理装置１から上側処理ユニット２を引き出す直前の状態を示す図であり、図６は、図５の上側処理ユニット２を引き出す直前の搬入口遮蔽機構１２の状態を示す図である。また、図７は、図６の搬入口遮蔽機構１２の状態を示す斜視図であり、図８は、図６の搬入口遮蔽機構１２を図７と異なる方向（装置内部側）からみた斜視図である。さらに、図９は、図５の上側処理ユニット２を引き出している過渡的な状態を示す図であり、図１０は、図９の上側処理ユニット２を引き出す過程での搬入口遮蔽機構１２の状態を示す図である。
【００２５】
また、図１１は、図９の上側処理ユニット２を完全に引き出した状態を示す図であり、図１２は、図９の上側処理ユニット２を完全に引き出したときの搬入口遮蔽機構１２の状態を示す図である。さらに、図１３は、図１２の搬入口遮蔽機構１２の状態を示す斜視図であり、図１４は、図１２の搬入口遮蔽機構１２を図１３と異なる方向からみた斜視図である。また、図１５は、図１３の搬入口遮蔽機構１２の状態を詳細に示す斜視図である。
【００２６】
ここで、図４に例示したように、搬入口遮蔽機構１２を設けていないと、ジャム処理などの対応のために上側処理ユニット２を筐体５０内から引き出した場合、上側処理ユニット２と筐体５０との隙間５３から、下側処理ユニット３における上部の開口したカセット１１への不正なアクセスが可能（矢印Ｎ１方向からカセット１１内を視認可能）となる。そこで、図１１に示すように、紙葉類処理装置１に対し搬入口遮蔽機構１２を設ける。この搬入口遮蔽機構１２は、主に図１１に示すように、上側処理ユニット２を筐体５０内から引き出す動作に連動して、筐体５０内に収容された下側処理ユニット３上のカセット１１の搬入口１１ａを覆う。
【００２７】
すなわち、搬入口遮蔽機構１２は、図５〜図１５に示すように、蓋部材２９としての一対の矩形板状の蓋部前側構成プレート１４及び蓋部後側構成プレート１３、連結シャフト１５、係合部としてのフックレバー２ａ、被係合部として機能する被係合ピン３ａ、並びにヒンジ部２０ａ、ヒンジばね２０及び固定シャフト２６を有する蓋部材固定機構２７を備える。
【００２８】
蓋部前側構成プレート１４及び蓋部後側構成プレート１３は、図１２〜図１４に示すように、互いに所定の辺部どうしが連結シャフト（開閉支点シャフト）１５を介して回動可能に連結されている。連結シャフト１５は、止め金１５ａを通じて蓋部前側構成プレート１４及び蓋部後側構成プレート１３に係止されている。このような蓋部前側構成プレート１４及び蓋部後側構成プレート１３は、上側処理ユニット２の矢印Ｘ１−Ｘ２の方向への出し入れの動作に連動して、図１１〜図１４に示すようにカセット１１の搬入口１１ａ上で広がる態様と、図６〜図８に示すように折り畳まれた態様（折り畳まれた起立姿勢）と、に変形可能な蓋部材２９として機能する。
【００２９】
蓋部材固定機構２７は、図７、図１３、図１４に示すように、上側処理ユニットの出し入れの方向（矢印Ｘ１−Ｘ２の方向）における蓋部材２９の一端部（蓋部前側構成プレート１４の前側端部）を、上側処理ユニット２のフレーム２ｃに対し固定シャフト２６及びヒンジ部２０ａを介して固定している。ヒンジばね２０は、ねじりコイルばねで構成されており、図１３、図１４に示すように、固定シャフト２６を中心として、矢印Ｓ１方向に回動する方向に蓋部前側構成プレート１４を付勢する。これにより、フックレバー２ａの非係合状態では、蓋部前側構成プレート１４及び蓋部後側構成プレート１３は、図６〜図８に示すように折り畳まれて起立した姿勢をとる。また、蓋部前側構成プレート１４及び蓋部後側構成プレート１３は、互いに起立した状態では、図６、図８に示すように、上側処理ユニット２のストッパ部２ｄと当接する。
【００３０】
一方、フックレバー２ａは、図８、図１０、図１２〜図１５に示すように、上側処理ユニット２の出し入れの方向（矢印Ｘ１−Ｘ２の方向）における蓋部材２９の他端部（蓋部後側構成プレート１３の後側端部）に設けられている。さらに、被係合ピン３ａは、下側処理ユニット３のフレーム３ｂに設けられ、筐体５０内から上側処理ユニット２を引き出す動作の過程で、図９〜図１２、図１５に示すように、蓋部後側構成プレート（蓋部材）１３上のフックレバー２ａのフック部２ｂと係合する。
【００３１】
したがって、このように構成された搬入口遮蔽機構１２では、図５〜図８に示す初期状態から、図９、図１０に示すように、上側処理ユニット２を筐体５０内から中間位置まで引き出すと、蓋部前側構成プレート１４及び蓋部後側構成プレート１３は、ヒンジばね２０による付勢力で閉じた状態（起立した姿勢）のまま、前方（矢印Ｘ１側）へ進んで行き、その後、カセット１１近傍に設けられた被係合ピン３ａに対し、フックレバー２ａのフック部２ｂが係合する。さらに、上側処理ユニット２を引き出して行くと、蓋部前側構成プレート１４及び蓋部後側構成プレート１３は、徐々に開いて（広がって）行き、上側処理ユニット２の引き出し完了時には、蓋部前側構成プレート１４及び蓋部後側構成プレート１３は、完全に開いて、カセット１１上部の搬入口１１ａを塞ぐ（遮蔽する）状態となる。一方、上側処理ユニット２の収納操作時には、引き出し時と逆の順序で搬入口遮蔽機構１２が動作し、収納動作完了前にフックレバー２ａのフック部２ｂと被係合ピン３ａとの係合が外れ、その後、蓋部前側構成プレート１４及び蓋部後側構成プレート１３は、図５〜図８に示すように、折り畳まれた態様となる。
【００３２】
既述したように、本実施形態の紙葉類処理装置１の備えた搬入口遮蔽機構１２によれば、上側処理ユニット２を筐体５０内から引き出す動作に連動して、紙葉類３１を収納したカセット１１上部の搬入口１１ａが覆い隠されるので、例えば上側処理ユニット２と筐体５０との隙間５３などから、カセット１１内の紙葉類を視認することなどを防止でき、これにより不正な行為の誘発が抑制され、さらには、カセット１１内から処理済みの紙葉類３１を抜き取るなどといった不正な行為を実質的に阻止することが可能となる。
【００３３】
また、上記の搬入口遮蔽機構１２では、上側処理ユニット２の引き出し操作に連動させて、搬入口１１ａが覆われるので、簡易的な構造でカセット１１へのアクセスを防止することができる。さらに、上記の搬入口遮蔽機構１２では、フックレバー２ａと被係合ピン３ａとの係合動作を利用して、カセット１１上部の搬入口１１ａの近傍で蓋部前側構成プレート１４及び蓋部後側構成プレート１３を広げる構成を適用できるので、部品構成の省スペース化（部品の小型化）を図ることができる。
【００３４】
以上、本発明を各実施の形態により具体的に説明したが、本発明はこれらの実施形態にのみ限定されるものではなく、その要旨を逸脱しない範囲で種々変更可能である。例えば、図１１に示した搬入口遮蔽機構１２に代えて、図１６に示すように、蓋部前側構成プレート８２と蓋部後側構成プレート８３とを回動可能に連結シャフト８５で連結した蓋部材８７を備える搬入口遮蔽機構８１を適用してもよい。この搬入口遮蔽機構８１は、上側処理ユニット２の出し入れの方向における蓋部材８７の一端部（蓋部前側構成プレート８２の前側端部）を当該上側処理ユニット２の背面側のフレーム２ｃに固定する上側用固定機構（係止ピン）８４と、上側処理ユニット２の出し入れの方向における蓋部材８７の他端部（蓋部後側構成プレート８３の後側端部）を下側処理ユニット３の背面側のフレーム３ｃに固定する下側用固定機構（係止ピン）８６と、を備える。したがって、この搬入口遮蔽機構８１では、フックレバーやヒンジばねなどを用いることなく、カセット１１の搬入口１１ａを覆うことが可能なので、搬入口遮蔽機構の構造を簡略化できる。
【００３５】
また、図１７に示すように、カセット１１の搬入口１１ａを塞ぐための蓋部分（蓋部材）が蛇腹状に折り曲げられた蛇腹部７１ｃと、この蛇腹部７１ｃの他端部７１ａに固定した（上記被係合ピン３ａと係合する）フックレバー２ａとを設け、さらに蛇腹部７１ｃの一端部７１ｂを上側処理ユニット２の背面側のフレーム２ｃに固定した構成の搬入口遮蔽機構７１を適用することもできる。また、この搬入口遮蔽機構７１からフックレバー２ａを削除し、蛇腹部７１ｃの他端部７１ａ側を下側処理ユニット３の背面側のフレーム３ｃに直接固定した搬入口遮蔽機構を構成することもできる。
【００３６】
さらに、図１８に示すように、巻回可能（巻出し可能）な可とう性を有する帯状の部材（ロール状の部材）で、カセット１１の搬入口１１ａを塞ぐための蓋部材として機能する巻回部７２ｃを構成し、この巻回部７２ｃと、この巻回部７２ｃの他端部７２ａに固定した（上記被係合ピン３ａと係合する）フックレバー２ａとを設け、さらに巻回部７２ｃの一端部７２ｂ（巻回中心部）を上側処理ユニット２の背面側のフレーム２ｃに固定した構成の搬入口遮蔽機構７２を適用することもできる。さらに、この搬入口遮蔽機構７１からフックレバー２ａを削除し、巻回部７２ｃの他端部７２ａ側を下側処理ユニット３の背面側のフレーム３ｃに直接固定した搬入口遮蔽機構を構成することもできる。
【図面の簡単な説明】
【００３７】
【図１】本発明の実施形態に係る紙葉類処理装置の外観を示す斜視図。
【図２】図１の紙葉類処理装置の内部構造を示す図。
【図３】図２の紙葉類処理装置から下側処理ユニットを引き出した状態を示す図。
【図４】図２の紙葉類処理装置から上側処理ユニットを引き出した状態（搬入口遮蔽機構は不図示）を示す図。
【図５】図２の紙葉類処理装置から上側処理ユニットを引き出す直前の状態を示す図。
【図６】図５の上側処理ユニットを引き出す直前の搬入口遮蔽機構の状態を示す図。
【図７】図６の搬入口遮蔽機構の状態を示す斜視図。
【図８】図６の搬入口遮蔽機構を図７と異なる方向（装置内部側）からみた斜視図。
【図９】図５の上側処理ユニットを引き出している過渡的な状態を示す図。
【図１０】図９の上側処理ユニットを引き出す過程での搬入口遮蔽機構の状態を示す図。
【図１１】図９の上側処理ユニットを完全に引き出した状態を示す図。
【図１２】図９の上側処理ユニットを完全に引き出したときの搬入口遮蔽機構の状態を示す図。
【図１３】図１２の搬入口遮蔽機構の状態を示す斜視図。
【図１４】図１２の搬入口遮蔽機構を図１３と異なる方向からみた斜視図。
【図１５】図１３の搬入口遮蔽機構の状態を詳細に示す斜視図。
【図１６】図１１に示した搬入口遮蔽機構と構造の異なる他の搬入口遮蔽機構を示す図。
【図１７】図１２、図１６に示した搬入口遮蔽機構と構造の異なる他の搬入口遮蔽機構を示す図。
【図１８】図１２、図１６、図１７に示した搬入口遮蔽機構と構造の異なる他の搬入口遮蔽機構を示す図。
【符号の説明】
【００３８】
１…紙葉類処理装置（光学的文字読取装置）、２…上側処理ユニット、２ａ…フックレバー、２ｂ…フック部、３…下側処理ユニット、３ａ…被係合ピン、７…一時庫、１０…シャッタ、１１…カセット、１２，７１，７２，８１…搬入口遮蔽機構、１３，８３…蓋部後側構成プレート、１４，８２…蓋部前側構成プレート、２９，８７蓋部材、７１ｃ…蛇腹部、７２ｃ…巻回部。
【図１】
0004703637.tif 000002
【図２】
0004703637.tif 000003
【図３】
0004703637.tif 000004
【図４】
0004703637.tif 000005
【図５】
0004703637.tif 000006
【図６】
0004703637.tif 000007
【図７】
0004703637.tif 000008
【図８】
0004703637.tif 000009
【図９】
0004703637.tif 000010
【図１０】
0004703637.tif 000011
【図１１】
0004703637.tif 000012
【図１２】
0004703637.tif 000013
【図１３】
0004703637.tif 000014
【図１４】
0004703637.tif 000015
【図１５】
0004703637.tif 000016
【図１６】
0004703637.tif 000017
【図１７】
0004703637.tif 000018
【図１８】
0004703637.tif 000019